(57)【要約】【課題】据置状態と肩担ぎ状態の双方の操作状態において、良好な通信状態と撮影者による把持に影響しないようにしたレンズ装置を得る。【解決手段】通信部７は無線による操作制御信号の送受信を行う送受信アンテナ部７ａが、電気絶縁材料による筐体７ｂに内包されている。筐体７ｂは同様に絶縁材料による蓋部７ｃによって、送受信アンテナ部７ａを覆う配置とすることで、通信部７が構成されている。送受信アンテナ部７ａのコネクタ７ｄは、送受信アンテナ部７ａを内包した筐体７ｂを電動駆動部４に固定するときに、制御基板４ａ上に配されたコネクタ４ｂと接続される。【選択図】図２
2011139242.tif 000002
【特許請求の範囲】
【請求項１】
レンズ本体と該レンズ本体を駆動する電動駆動部とを具備したレンズ装置において、電気絶縁材料を用いた領域と、該領域の内側に配置され、無線で遠隔操作部と操作制御信号の送受信を行う送受信アンテナ部と、を備え、前記操作制御信号により前記電動駆動部を駆動することを特徴とするレンズ装置。
【請求項２】
前記絶縁材料を用いた領域は、前記電動駆動部の筐体に沿った領域であることを特徴とする請求項１に記載のレンズ装置。
【請求項３】
前記絶縁材料を用いた前記領域は、撮影者が前記電動駆動部を把持するバンドに設けた補助当て部材であることを特徴とする請求項１に記載のレンズ装置。
【発明の詳細な説明】
【技術分野】
【０００１】
本発明は、撮影装置におけるレンズ本体と電動駆動部とを有するレンズ装置に関するものである。
【背景技術】
【０００２】
放送用のレンズ装置では、三脚を用いた据置状態で撮影していた被写体に、緊急で接近して撮影する状況が発生することがある。
【０００３】
このとき、即座に撮影者がレンズ装置を担いで、撮影できる状態に円滑に移行できることが望まれるが、据置状態で撮影する際には遠隔操作に用いられる操作部が、直接レンズ装置に結線されていることが多い。
【０００４】
そのため、据置状態での撮影から肩担ぎ状態の撮影への移行の際には、操作部の結線を外す必要がある。このように緊急時に結線を外す作業が発生することは、被写体の撮影チャンスを逃すこととなったり、急いで取り外し作業を行うことにより接続部が破損してしまったりする可能性も高まってしまう。
【０００５】
そこで特許文献１には、据置状態での撮影を行う場合も肩担ぎ状態での撮影を行う場合も、レンズ装置と遠隔操作装置との間の操作制御信号の送受信を無線で行うシステムが開示されている。これによって迅速に据置状態から肩担ぎ状態へ移行できるようにしている。
【先行技術文献】
【特許文献】
【０００６】
【特許文献１】特開２００５−２１７９９５号公報
【発明の概要】
【発明が解決しようとする課題】
【０００７】
しかし、この特許文献１では、据置状態では無線通信性能を確保しなければならない一方で、肩担ぎ状態では無線装置がコネクタ部に装着されたままでは、撮影者がレンズ装置を把持する妨げになってしまうという問題がある。
【０００８】
また、放送機器製品が使用される環境においては、様々な無線装置が同時に使用されるため、受信状態を良好に維持するための送受信アンテナ部の配置が重要になる。このとき、レンズ装置やカメラ装置に用いられる金属部による通信効率の低下を回避しながら、同時に担いだときの妨げにならない配置を両立しなければならないという課題がある。
【０００９】
本発明の目的は、上述の課題を解消し、据置状態と肩担ぎ状態の双方の撮影状態において、撮影者が把持し易く、かつ通信状態を良好に保つことができるレンズ装置を提供することにある。
【課題を解決するための手段】
【００１０】
上記目的を達成するための本発明に係るレンズ装置は、レンズ本体と該レンズ本体を駆動する電動駆動部とを具備したレンズ装置において、電気絶縁材料を用いた領域と、該領域の内側に配置され、無線で遠隔操作部と操作制御信号の送受信を行う送受信アンテナ部と、を備え、前記操作制御信号により前記電動駆動部を駆動することを特徴とする。
【発明の効果】
【００１１】
本発明に係るレンズ装置によれば、アンテナ特性を阻害する要因である金属の塊から、最遠隔の部位に絶縁材料で覆われた送受信アンテナ部を備えることにより、良好な通信特性を得る。
【００１２】
同時に、遠隔操作の据置状態から担ぎ状態に移行したときに、送受信アンテナ部が撮影者の手により隠れない配置となり、無線による情報通信の妨げにならない。
【００１３】
更に、送受信アンテナ部が補助当て部材に内包される構成を採ることによって、定点撮影から把持撮影へと速やかに移行可能とし、好適な通信状態を確保できる。
【図面の簡単な説明】
【００１４】
【図１】実施例１の撮像装置の構成図である。
【図２】実施例１の通信部の要部構成図である。
【図３】実施例１のレンズ装置の下方から見た斜視図である。
【図４】実施例１のレンズ装置の把持状態の説明図である。
【図５】実施例２のレンズ装置の構成図である。
【図６】実施例２の図５のＣ−Ｃ線に沿った断面図である。
【図７】実施例２のバンド材の配線部の説明図である。
【図８】実施例２の結線部の引き込み形状の説明図である。
【図９】実施例２のレンズ装置の把持状態の説明図である。
【発明を実施するための形態】
【００１５】
本発明を図示の実施例に基づいて詳細に説明する。
【実施例１】
【００１６】
図１は実施例１の撮像装置の構成図を示し、カメラ装置１には、肩担ぎが行えるレンズ装置２が取り付けられている。レンズ装置２は焦点調節、ズーム操作、光量調節を行う機構を有するレンズ本体３と、これら焦点調節、ズーム操作、光量調節を電動駆動で行う電動駆動部４により構成されている。
【００１７】
電動駆動部４には、レンズ装置２を把持し撮影者の手の大きさに応じて長さの調節が可能なバンド５に設けられ、バンド５には撮影者がレンズ装置２を肩担ぎにより撮影するときに、安定して保持する補助当て部材６が設けられている。また、電動駆動部４の外側の外装部には、無線による通信部７が取り付けられている。
【００１８】
カメラ装置１は所定の三脚固定部材１１を介して雲台部１２に固定されており、雲台部１２には撮像装置全体の姿勢を変えるための複数のパンニングバー１３が設けられている。パンニングバー１３には、レンズ装置２の変倍操作、焦点調節操作を遠隔操作で行うための変倍遠隔操作部１４、焦点調節遠隔操作部１５が設けられている。これらの遠隔操作部１４、１５は、双方の操作信号を通信部７に送信し、また電動駆動部４上の制御スイッチの信号を通信部７から受信するための送受信ユニット１６に結線されている。
【００１９】
上述の構成により、肩担ぎ状態では、撮影者の手元で操作される変倍遠隔操作部１４や焦点調節遠隔操作部１５とレンズ装置２とは、直接結線されていないものの、通信部７により直接結線して使用する状態と何ら変わりはなく、快適に操作することができる。
【００２０】
図２は通信部７の周辺の要部の構成図である。図２（ａ）に示すように通信部７には、無線による操作制御信号の送受信を行う送受信アンテナ部７ａが、電気絶縁材料から成る筐体７ｂに内包され、つまり電気絶縁材料から成る筐体の内側に配置されている。勿論、筐体の一部を電気絶縁材料とし、その内側にアンテナ部を配置しても支障はない。筐体７ｂは同様に絶縁材料による蓋部７ｃによって送受信アンテナ部７ａを覆う配置とされている。また、送受信アンテナ部７ａにはコネクタ７ｄが設けられ、コネクタ７ｄは筐体７ｂを電動駆動部４に固定する際に、電動駆動部４の内部の制御基板４ａ上に配されたコネクタ４ｂと接続される。
【００２１】
また、図２（ｂ）に示すように、通信部７は電動駆動部４上で絶縁材料により送受信アンテナ部７ａを内包する構成とされているので、導電材料により通信特性を損うことなく、後述する通信信号の送受信が行われる。
【００２２】
また、図２（ａ）、（ｂ）に示すように、通信部７はアンテナ特性を阻害する金属の塊であるレンズ本体３やカメラ装置１に対して、最も遠くなる位置に配置されているため、レンズ装置２に通信部７を配する上で最も有利な配置となっている。
【００２３】
撮影者が三脚固定部材１１による据置状態による撮影から、肩担ぎ状態での撮影に移行する場合、例えば遠隔撮影、又は据置撮影で撮影されるゴルフ中継などで、最終ホールで優勝者が決定した瞬間に近寄ってインタビューする必要が生ずることがある。このような場合に、瞬時に三脚固定部材１１からレンズ装置２を外して撮影に用いることがある。
【００２４】
図３はレンズ装置２を下方から見た斜視図である。三脚固定部材１１の操作によりカメラ装置１を開放すると同時に、領域Ａの個所のバンド５に撮影者の右手を挿入して電動駆動部４を把持し、補助当て部材６により安定して把持姿勢を維持する。
【００２５】
図４は上述の状況で撮影者が担いで撮影するときに、レンズ装置２を把持するときの右手Ｒによる把持状態を示している。撮影者の右手Ｒによる把持状態において、通信部７は右手Ｒによって隠されない外装部の領域に設けられており、人体による通信特性の障害要因を回避できる位置関係になっている。
【００２６】
このように、通信部７は電動駆動部４の外側に絶縁材料の筐体７ｂ、蓋部７ｃにより覆われた領域が形成され、その内部に送受信アンテナ部７ａを設ける構造とされている。この配置を採用することにより、遠隔操作装置による操作制御信号の送受信を無線で行う際のアンテナ特性を損わないことと、撮影者が把持した際の影響を受けずに、安定した通信が行える配置とを両立して実現できる。
【００２７】
また、無線により操作制御信号の送受信を行う構成のため、据置時にはレンズ装置２に対して何ら結線が施されておらず、三脚固定部材１１の操作によりカメラ装置１の固定を解除すると同時に、直ちに担ぐことができる。更に、本構成により、送受信アンテナ部７ａの特性を変更する必要性がある場合でも、簡便に送受信アンテナ部７ａの差し換えが可能であり、組立性・汎用性の向上を果たすことが可能である。
【００２８】
なお、通信部７は上述の位置でなくとも、電動駆動部４の一部にあり、アンテナ特性を損わない位置であればよい。更に、通信部７の構成も図２で示した構成でなくとも、アンテナ特性を損わない部材で構成していれば支障はない。
【００２９】
なお本実施例では、無線による操作制御信号を変倍操作、焦点調節操作に関して説明したが、操作制御信号の対象はレンズ及びカメラ操作に係る機能に関する操作においても同様である。その操作の例としては、録画機能、映像送り返し機能、光量調節機能、防振特性機能、自動焦点調整機能、マクロ撮影機能、所定構図復帰機能などが挙げられる。
【実施例２】
【００３０】
図５は実施例２におけるレンズ装置２のレンズ本体３と通信部７の周辺の構成図であり、図１の同じ部材は同じ符号を付している。
【００３１】
レンズ本体３に固定される電動駆動部２１には、電動駆動部２１上の領域Ｂを通したバンド２２に補助当て部材２３が取り付けられている。また、補助当て部材２３には後述する構成により送受信アンテナ部７ａが内包されている。
【００３２】
図６は図５における補助当て部材２３のＣ−Ｃ線に沿った断面図である。無線による操作制御信号の送受信を行う送受信アンテナ部７ａは、絶縁材料による外壁７ｅと、同様に絶縁材料による内壁７ｆとの間の領域Ｄに、充填部材７ｇにより覆われている。
【００３３】
上述の構成により、送受信アンテナ部７ａは絶縁材料である外壁７ｅと内壁７ｆにより保護されることで、レンズ装置２の近傍に存在し得るカメラ装置１などの金属の塊による障害を受けずに、無線による信号の送受信が行える。
【００３４】
また、内壁７ｆと補助当て部材２３の芯２３ａとの間にある領域Ｅには、バンド２２、２２’が配置されている。バンド２２の内部には、送受信アンテナ部７ａに接続された通信や電源供給を行う接続部材２４が後述する構成により通線されている。
【００３５】
図７（ａ）〜（ｃ）はバンド２２に接続部材２４が付設されている構造の説明図である。図７（ａ）において、接続部材２４はノイズに対するシールド効果を有する素材によるバンド２２、２２’により挟まれ、図７（ｂ）に示すように接続部材２４はバンド２２、２２’から外部に露出することなく納められている。また図７（ｃ）に示すように、バンド２２から接続部材２４の電動駆動部２１に内包された図示しない制御基板へと結線するための接続部材２４の引出部２４ａが引き出されている。
【００３６】
バンド２２から引き出された接続部材２４は、図８に示す電動駆動部２１の外装部に設けられた挿入部を通り、電動駆動部２１の本体の内部に引き回されている。上述の構成により、バンド２２のシールド性が確保され、接続部材２４に加わるノイズによる電波障害の発生を有効に防ぐことが可能となる。
【００３７】
図９は据置状態から撮影者が肩担ぎで撮影に移行する際に、撮影者がレンズ装置２を把持する際の右手Ｒによる把持状態を示している。撮影者の右手Ｒによる把持状態において、送受信アンテナ部７ａは右手Ｒによって隠されない領域、即ち補助当て部材２３のレンズ装置２に対して外装部に設けられている。このことにより、人体や撮影装置による通信特性の障害要因を回避できる位置を確保し、最適な無線信号の送受信を実現できる。
【００３８】
本実施例２によれば、遠隔操作時の良好な通信特性を満足するだけでなく、レンズ装置２を把持した操作時においても、レンズ装置２上の好適な配置による制御信号の送受信可能となり、撮影者の撮影スタイルやシステム構成の汎用性が高まる。
【００３９】
なお、実施例１、２で示した送受信アンテナ部７ａは、アンテナ本体の他に必要とする回路を備えていてもよい。
【００４０】
以上、本発明の好ましい実施例について説明したが、本発明はこれらの実施例に限定されないことは云うまでもなく、その要旨の範囲内で種々の変形及び変更が可能である。
【符号の説明】
【００４１】
１  カメラ装置
２  レンズ装置
３  レンズ本体
４、２１  電動駆動部
５、２２  バンド
６、２３  補助当て部材
７  通信部
７ａ  送受信アンテナ部
【図１】
2011139242.tif 000003
【図２】
2011139242.tif 000004
【図３】
2011139242.tif 000005
【図４】
2011139242.tif 000006
【図５】
2011139242.tif 000007
【図６】
2011139242.tif 000008
【図７】
2011139242.tif 000009
【図８】
2011139242.tif 000010
【図９】
2011139242.tif 000011